(57)【要約】【課題】本願発明の目的は、ＮＯｘやオゾン等の活性ガスによる画像流れ等の画像欠陥を改善した画像形成装置、画像形成方法を提供することであり、特に、帯電極直下で発生しやすい画像流れ等の画像欠陥を改善した画像形成装置、画像形成方法を提供すること。【解決手段】画像形成装置の電源停止動作（エンドシーケンス）として、有機感光体への圧着部材を現像手段を除いて全て解除した後、前記有機感光体を回転させ、有機感光体上に帯電手段、露光手段、現像手段を作動させて、該有機感光体にトナー画像部を形成し、該トナー画像部が帯電手段の帯電極直下に位置させて、有機感光体の回転を停止させた後、画像形成装置の電源停止を行う制御をすることを特徴とする画像形成装置。【選択図】図４
2010160395.tif 000002
【特許請求の範囲】
【請求項１】
円筒状の有機感光体上にコロナ放電方式により帯電電位を付与する帯電手段、該帯電電位が付与された有機感光体上に露光して静電潜像を形成する露光手段、該静電潜像をトナー像に顕像化する現像手段、該トナー像を転写媒体に転写する転写手段、該転写後の有機感光体上の残留トナーをカウンター方式で有機感光体に当接しているクリーニングブレードで除去するクリーニング手段を備えた画像形成手段及び制御手段とを有する画像形成装置において、前記制御手段は、前記画像形成装置の電源停止動作（エンドシーケンス）として、有機感光体への圧着部材を現像手段を除いて全て解除した後、前記有機感光体を回転させ、有機感光体上に帯電手段、露光手段、現像手段を作動させて、該有機感光体にトナー画像部を形成し、該トナー画像部が帯電手段の帯電極直下に位置させて、有機感光体の回転を停止させた後、画像形成装置の電源停止を行う制御をすることを特徴とする画像形成装置。
【請求項２】
前記制御手段は、前記画像形成装置の電源入り後に、画像形成開始動作（スタートシーケンス）として、有機感光体への圧着部材をクリーニング手段を除いて全て解除した後、前記有機感光体を回転させ、有機感光体上の前記トナー画像部のトナーをクリーニング手段で除去した後、前記で解除した圧着部材を定位置に戻した後、画像形成動作を行う制御をすることを特徴とする請求項１に記載の画像形成装置。
【請求項３】
円筒状の有機感光体上にコロナ放電方式により帯電電位を付与する帯電手段、該帯電電位が付与された有機感光体上に露光して静電潜像を形成する露光手段、該静電潜像をトナー像に顕像化する現像手段、該トナー像を転写媒体に転写する転写手段、該転写後の有機感光体上の残留トナーをカウンター方式で有機感光体に当接しているクリーニングブレードで除去するクリーニング手段を備えた画像形成部手段及び制御手段とを有する画像形成装置を用いて電子写真画像を作製する画像形成方法において、前記制御手段は、前記画像形成装置の電源停止動作として、有機感光体への圧着部材を現像手段を除いて全て解除した後、前記有機感光体を回転させ、有機感光体上に帯電手段、露光手段、現像手段を作動させて、該有機感光体にトナー画像部を形成し、該トナー画像部が帯電手段の帯電極直下に位置させて、有機感光体の回転を停止させた後、画像形成装置の電源停止を行う制御をすることを特徴とする画像形成方法。
【発明の詳細な説明】
【技術分野】
【０００１】
本願発明は、電子写真方式の画像形成に用いる画像形成装置及び画像形成方法に関する発明である。
【背景技術】
【０００２】
電子写真方式の画像形成装置においては、近年、高速・長寿命を目的としたプロセス開発が盛んに行われている。
【０００３】
高速の画像形成方法（プロセス）は短時間に所定の電位まで帯電させるために、より高出力の帯電極が必要になるが、弊害として帯電極による高出力放電によるＮＯｘやオゾンの発生量が多くなる。これらＮＯｘやオゾンは、電子写真感光体の表面に付着して、感光体上の静電荷像を崩し、画像流れ等の画像欠陥を発生する。
【０００４】
特に問題となるのは、高温高湿下において高濃度のＮＯｘやオゾン等の活性ガスに暴露される帯電極直下の画像流れである。
【０００５】
このような問題に対しては、特許文献１では、画像形成動作開始時の感光体の回転開始時において光除電部を作動させながら帯電極を作動させ、画像形成終了後において光除電部を作動させずに帯電極を作動させながら感光体を１回転以上回転させた後に停止させる制御を行うことが提案されている。
【０００６】
又、他の方法としては、画像形成動作の停止中でも、一定の時間が経過すれば、感光体を回転させ、画像むらを改善する技術が公開されている（特許文献２）。
【０００７】
これらの従来技術は、両者とも尚十分な効果がなく、近年の長寿命を目的とした低摩耗性の感光体（微粒子含有表面層、硬化型表面層等の感光体）では十分な効果が得られない。
【先行技術文献】
【特許文献】
【０００８】
【特許文献１】特開平２−０６４６６２号公報
【特許文献２】特開平９−０６８９０６号公報
【発明の概要】
【発明が解決しようとする課題】
【０００９】
本願発明の目的は、上記のような問題を解決し、ＮＯｘやオゾン等の活性ガスによる画像流れ等の画像欠陥を改善した画像形成装置、画像形成方法を提供することであり、特に、帯電極直下で発生しやすい画像流れ等の画像欠陥を改善した画像形成装置、画像形成方法を提供することである。
【課題を解決するための手段】
【００１０】
本願発明者等は、上記の目的は、帯電直下で感光体上に蓄積しやすいＮＯｘやオゾン等を阻害する物質を感光体の表面に一時的に形成することが有効であることを見出し、本願発明を達成した。
【００１１】
即ち、本願発明の目的は、下記に記載する構成を有することにより達成される。
【００１２】
１．円筒状の有機感光体上にコロナ放電方式により帯電電位を付与する帯電手段、該帯電電位が付与された有機感光体上に露光して静電潜像を形成する露光手段、該静電潜像をトナー像に顕像化する現像手段、該トナー像を転写媒体に転写する転写手段、該転写後の有機感光体上の残留トナーをカウンター方式で有機感光体に当接しているクリーニングブレードで除去するクリーニング手段を備えた画像形成手段及び制御手段とを有する画像形成装置において、前記制御手段は、前記画像形成装置の電源停止動作（エンドシーケンス）として、有機感光体への圧着部材を現像手段を除いて全て解除した後、前記有機感光体を回転させ、有機感光体上に帯電手段、露光手段、現像手段を作動させて、該有機感光体にトナー画像部を形成し、該トナー画像部が帯電手段の帯電極直下に位置させて、有機感光体の回転を停止させた後、画像形成装置の電源停止を行う制御をすることを特徴とする画像形成装置。
【００１３】
２．前記制御手段は、前記画像形成装置の電源入り後に、画像形成開始動作（スタートシーケンス）として、有機感光体への圧着部材をクリーニング手段を除いて全て解除した後、前記有機感光体を回転させ、有機感光体上の前記トナー画像部のトナーをクリーニング手段で除去した後、前記で解除した圧着部材を定位置に戻した後、画像形成動作を行う制御をすることを特徴とする前記１に記載の画像形成装置。
【００１４】
３．円筒状の有機感光体上にコロナ放電方式により帯電電位を付与する帯電手段、該帯電電位が付与された有機感光体上に露光して静電潜像を形成する露光手段、該静電潜像をトナー像に顕像化する現像手段、該トナー像を転写媒体に転写する転写手段、該転写後の有機感光体上の残留トナーをカウンター方式で有機感光体に当接しているクリーニングブレードで除去するクリーニング手段を備えた画像形成部手段及び制御手段とを有する画像形成装置を用いて電子写真画像を作製する画像形成方法において、前記制御手段は、前記画像形成装置の電源停止動作として、有機感光体への圧着部材を現像手段を除いて全て解除した後、前記有機感光体を回転させ、有機感光体上に帯電手段、露光手段、現像手段を作動させて、該有機感光体にトナー画像部を形成し、該トナー画像部が帯電手段の帯電極直下に位置させて、有機感光体の回転を停止させた後、画像形成装置の電源停止を行う制御をすることを特徴とする画像形成方法。
【発明の効果】
【００１５】
本願発明の画像形成装置及び画像形成方法を適用することにより、ＮＯｘやオゾン等の活性ガスにより発生していた画像流れ等の画像欠陥を改善でき、良好な電子写真画像を形成できる画像形成装置及び画像形成方法を提供することができる。
【図面の簡単な説明】
【００１６】
【図１】本願発明の画像形成装置の一例を示す図である。
【図２】図１の画像形成部（画像形成手段）Ｃを模式的に拡大した図である。
【図３】本実施形態に係る画像形成装置の制御ブロック図である。
【図４】本実施形態に係る画像形成装置のエンドシーケンス制御フローを示す図である。
【図５】本実施形態に係る画像形成装置のスタートシーケンス制御フローを示す図である。
【図６】第２の実施形態に係る画像形成装置のスタートシーケンス制御フローを示す図である。
【発明を実施するための形態】
【００１７】
本発明を実施の形態に基づいて説明するが、本発明は該実施の形態に限られない。
【００１８】
［画像形成装置］
まず、本願発明の画像形成装置について例を挙げて説明する。
【００１９】
図１に示す画像形成装置１は、デジタル方式による画像形成装置であって、画像読取り部（画像読取り手段）Ａ、画像処理部（画像処理手段）Ｂ、画像形成部（画像形成手段）Ｃ、転写紙搬送手段としての転写紙搬送部（転写紙搬送手段）Ｄから構成されている。
【００２０】
画像読取り部Ａの上部には原稿を自動搬送する自動原稿送り手段が設けられていて、原稿載置台１１上に載置された原稿は原稿搬送ローラ１２によって１枚宛分離搬送され読み取り位置１３ａにて画像の読み取りが行われる。原稿読み取りが終了した原稿は原稿搬送ローラ１２によって原稿排紙皿１４上に排出される。
【００２１】
一方、プラテンガラス１３上に置かれた場合の原稿の画像は走査光学系を構成する照明ランプ及び第１ミラーから成る第１ミラーユニット１５の速度ｖによる読み取り動作と、Ｖ字状に位置した第２ミラー及び第３ミラーから成る第２ミラーユニット１６の同方向への速度ｖ／２による移動によって読み取られる。
【００２２】
読み取られた画像は、投影レンズ１７を通してラインセンサである撮像素子ＣＣＤの受光面に結像される。撮像素子ＣＣＤ上に結像されたライン状の光学像は順次電気信号（輝度信号）に光電変換されたのちＡ／Ｄ変換を行い、画像処理部Ｂにおいて濃度変換、フィルタ処理などの処理が施された後、画像データは一旦メモリに記憶される。
【００２３】
画像形成部（画像形成手段）Ｃでは、画像形成ユニットとして、像担持体であるドラム状の感光体２１と、その外周に、該感光体２１を帯電させる帯電手段（帯電工程）２２、帯電した感光体の表面電位を検出する電位検出手段２２０、現像手段（現像工程）２３、転写手段（転写工程）である転写搬送ベルト手段４５、前記感光体２１のクリーニング手段（クリーニング工程）２６及び光除電手段（光除電工程）としてのＰＣＬ（プレチャージランプ）２７が各々動作順に配置されている。また、現像手段２３の下流側には感光体２１上に現像されたパッチ像の反射濃度を測定する反射濃度検出手段２２２が設けられている。感光体２１には、本発明に係わる有機感光体を使用し、図示の時計方向に駆動回転される。
【００２４】
回転する感光体２１へは帯電手段２２による一様帯電がなされた後、像露光手段（像露光工程）３０としての露光光学系により画像処理部Ｂのメモリから呼び出された画像信号に基づいた像露光が行われる。書き込み手段である像露光手段３０としての露光光学系は図示しないレーザダイオードを発光光源とし、回転するポリゴンミラー３１、ｆθレンズ３４、シリンドリカルレンズ３５を経て反射ミラー３２により光路が曲げられ主走査がなされるもので、感光体２１に対してＡｏの位置において像露光が行われ、感光体２１の回転（副走査）によって静電潜像が形成される。本実施の形態の一例では文字部に対して露光を行い静電潜像を形成する。
【００２５】
本発明の画像形成装置においては、感光体上に静電潜像を形成するに際し、半導体レーザ又は発光ダイオードを像露光光源として用いている。
【００２６】
感光体２１上の静電潜像は現像手段２３によって反転現像が行われ、感光体２１の表面に可視像のトナー像が形成される。本発明の画像形成方法では、該現像手段に用いられる現像剤はトナーを含有している。トナーは、一成分現像剤でも二成分現像剤として用いてもよい。
【００２７】
一成分現像剤として用いる場合は、非磁性一成分現像剤、あるいはトナー中に０．１〜０．５μｍ程度の磁性粒子を含有させ磁性一成分現像剤としたものがあげられ、いずれも使用することができる。
【００２８】
又、キャリアと混合して二成分現像剤として用いることができる。この場合は、キャリアの磁性粒子として、鉄、フェライト、マグネタイト等の金属、それらの金属とアルミニウム、鉛等の金属との合金等の従来から公知の材料を用いることが出来る。
【００２９】
転写紙搬送部Ｄでは、画像形成ユニットの下方に異なるサイズの転写紙Ｐが収納された転写紙収納手段としての給紙ユニット４１（Ａ）、４１（Ｂ）、４１（Ｃ）が設けられ、また側方には手差し給紙を行う手差し給紙ユニット４２が設けられていて、それらの何れかから選択された転写紙Ｐは案内ローラ４３によって搬送路４０に沿って給紙され、給紙される転写紙Ｐの傾きと偏りの修正を行う対の給紙レジストローラ４４によって転写紙Ｐは一時停止を行ったのち再給紙が行われ、搬送路４０、転写前ローラ４３ａ、給紙経路４６及び進入ガイド板４７に案内され、感光体２１上のトナー画像が転写位置Ｂｏにおいて転写極２４及び分離極２５、爪分離手段２５０等によって、転写紙Ｐ上に転写され、該転写紙Ｐも感光体から分離され、その後、転写紙Ｐは転写搬送ベルト手段４５の転写搬送ベルト４５４に載置搬送され、転写搬送ベルト手段４５により定着手段５０に搬送される。
【００３０】
定着手段５０は定着ローラ５１と加圧ローラ５２とを有しており、転写紙Ｐを定着ローラ５１と加圧ローラ５２との間を通過させることにより、加熱、加圧によってトナーを定着させる。トナー画像の定着を終えた転写紙Ｐは排紙トレイ６４上に排出される。
【００３１】
以上は転写紙の片側への画像形成を行う状態を説明したものであるが、両面複写の場合は排紙切換部材１７０が切り替わり、転写紙案内部１７７が開放され、転写紙Ｐは破線矢印の方向に搬送される。
【００３２】
更に、搬送機構１７８により転写紙Ｐは下方に搬送され、転写紙反転部１７９によりスイッチバックさせられ、転写紙Ｐの後端部は先端部となって両面複写用給紙ユニット１３０内に搬送される。
【００３３】
転写紙Ｐは両面複写用給紙ユニット１３０に設けられた搬送ガイド１３１を給紙方向に移動し、給紙ローラ１３２で転写紙Ｐを再給紙し、転写紙Ｐを搬送路４０に案内する。
【００３４】
再び、上述したように感光体２１方向に転写紙Ｐを搬送し、転写紙Ｐの裏面にトナー画像を転写し、定着手段５０で定着した後、排紙トレイ６４に排紙する。
【００３５】
本発明の画像形成装置としては、上述の感光体と、現像器、クリーニング器等の構成要素をプロセスカートリッジとして一体に結合して構成し、このユニットを装置本体に対して着脱自在に構成しても良い。又、帯電器、像露光器、現像器、転写又は分離器、及びクリーニング器の少なくとも１つを感光体とともに一体に支持してプロセスカートリッジを形成し、装置本体に着脱自在の単一ユニットとし、装置本体のレールなどの案内手段を用いて着脱自在の構成としても良い。
【００３６】
図２は、図１の画像形成部（画像形成手段）Ｃを模式的に拡大した図である。
【００３７】
図２において、図示しない原稿読み取り装置にて読み取った情報に基づき、半導体レーザ光源から像露光光が像露光手段３０を介して、感光体２１の面上に照射され静電潛像を作る。感光体は、あらかじめ帯電手段２２により一様帯電され、像露光のタイミングにあわせて時計方向に回転を開始している。
【００３８】
感光体面上の静電潛像は、現像手段２３により現像され、現像により形成されたトナー像はタイミングを合わせて転写搬送ベルト手段４５上を搬送されてきた転写紙Ｐに転写極２４の作用により転写される。さらに感光体２１と転写紙Ｐは分離極２５、爪分離手段２５０により分離され、転写紙Ｐは定着手段５０へと導かれトナー像が転写紙Ｐに定着される。
【００３９】
感光体面に残留した未転写のトナー等は、クリーニングブレード方式のクリーニング手段２６にて清掃され、光除電手段（ＰＣＬ）２７にて残留電荷を除き、次の画像形成のため再び帯電手段２２により、帯電される。
【００４０】
本願発明に係わる有機感光体の圧着部材としては、図１を例に挙げると、接触現像の場合の現像手段、転写手段、爪分離手段、クリーニング手段等が挙げられる。この圧着部材とは、有機感光体に接触している部材のことであり、圧着部材を解除するとは、接触している圧着部材を、非接触の状態に切り離すことを意味する。
【００４１】
又、解除した圧着部材を定位置に戻すとは、一旦非接触の状態に切り離した圧着部材を、通常の接触状態に戻すことを意味する。
【００４２】
又、有機感光体にトナー画像部を形成するとは、有機感光体上に一定の濃度を有するトナー画像部を形成する現像を行うことである。この際、トナー画像部は、帯電極直下で、有機感光体上に蓄積するＮＯｘやオゾン等の活性ガスをトナー画像でブロックするものであるから、ある程度、濃度の高いべた画像が好ましい。又、トナー画像部は帯電極幅以上の幅を持ったトナー画像部が好ましい。
【００４３】
本願発明の画像形成装置は、前記画像読取り部（画像読取り手段）Ａ、画像処理部（画像処理手段）Ｂ、画像形成部（画像形成手段）Ｃ、転写紙搬送部（転写紙搬送手段）Ｄ以外に制御部（制御手段）Ｅを有する。
【００４４】
以下に、本願発明に係わる制御手段について説明する。
【００４５】
図３は、実施形態に係る画像形成装置の制御ブロック図である。同図において本実施形態の動作説明に必要な部分の周囲を中心に記載してあり、その他の画像形成装置として既知の部分については省略してある。
【００４６】
制御部５０はＣＰＵ、ＲＯＭ、ＲＡＭを備えており、ＣＰＵがプログラムに従って画像形成装置の各種制御を実行する「制御手段」として機能する。ＲＯＭには、制御を行うための各種プログラムやデータが記憶されている。ＲＡＭにおいてはＣＰＵによってワークエリアとして利用され、ＣＰＵが画像形成装置の制御を実行する際に必要なプログラムやデータを一時的に記憶する。そして、ＣＰＵは、ＲＡＭに展開されたプログラム及びデータに基づき、画像形成装置全体の制御を実行する。
【００４７】
又、制御部５０は「感光体の使用履歴」としての感光体１の現時点までの総使用時間を管理する使用時間積算カウンタ５０１と、計時機能を備えたタイマー５０２等も有する。      
【００４８】
制御部５０には、図３のような部材が連結している。即ち、記憶部５１では各種の制御テーブルを記憶している。駆動モータＭ１は、その動作により感光体１を回転駆動させる。使用時間積算カウンタ５０１では、駆動モータＭ１の駆動時間をカウントしている。高圧電源Ｈ１では、帯電極２の放電ワイヤ及び制御グリッドに電圧を供給する。なお感光体の使用履歴としては総使用時間に換えて、感光体の総回転数あるいは、総摺動距離を用いてもよい。
【００４９】
［制御フロー］
図４は、本実施形態に係る画像形成装置の制御フローを示す図である。本制御フローは制御部５０により実行される処理である。まずステップＳ１０では、印刷指令に基づいて画像形成を行う。画像形成が終了し、ステップＳ１１で、感光体の回転が停止した後に、画像形成装置の電源停止を行う場合は、画像形成装置の電源停止動作（エンドシーケンス）を実行する。即ち、ステップＳ１２〜Ｓ１６の電源停止動作を実行する。
【００５０】
Ｓ１３では、有機感光体への圧着部材を現像手段を除いて、全て（クリーニング手段、爪分離手段、転写手段等）解除する。Ｓ１４では、有機感光体を回転させ、有機感光体上に帯電手段、露光手段、現像手段を作動させて、該有機感光体に帯電極幅以上のトナー画像部を形成する。Ｓ１５では、現像によるトナー画像部が帯電手段の帯電極直下に位置した時、有機感光体の回転を停止する。最後のＳ１６で、画像形成装置の電源停止を実行する。
【００５１】
また、本願発明に感光体係わる「画像形成装置の電源停止」の電源とは、画像形成装置を動作させるために装置全体に電力を供給するための主電源や、画像形成装置の一部に電力を供給するための副電源であってもよく、また、電源停止動作のトリガーは、機械的なハードスイッチのオン・オフでも、プログラム制御によるソフトスイッチのオン・オフでもよい。
【００５２】
次に、請求項２の制御手段は、画像形成装置の電源入り後の画像形成開始動作（スタートシーケンス）の制御フロー（スタートシーケンス）を図５に示す。
【００５３】
先ず、画像形成装置の電源が入る（ＯＮ）。その後、制御手段は、画像形成装置の電源入り後の画像形成開始動作（スタートシーケンス）として、制御フロー、ステップＳ２１〜Ｓ２４を実行する。
【００５４】
Ｓ２１では、有機感光体への圧着部材をクリーニング手段を除いて、全て（現像手段、転写手段、爪分離手段等）解除する。Ｓ２２では、有機感光体を回転させ、有機感光体上の前記トナー画像部のトナーをクリーニング手段で除去する。Ｓ２３では、解除した圧着部材を定位置に戻す。Ｓ２４で、画像形成動作を行う制御に入る。
【００５５】
本願発明は前記エンドシーケンスを実施することを特徴とする。該エンドシーケンスで、感光体上へのＮＯｘやオゾン等の活性ガスに依る感光体の劣化を防止できるが、その後の、画像形成装置の再電源ＯＮ時には、画像形成に先立ち、感光体上の均一トナー画像部のトナーを除去する必要がある。このトナーを除去動作が、上記図５で示したスタートシーケンスであるが、スタートシーケンスで行うトナーを除去動作は、必ずしも図５のスタートシーケンスに限らない。即ち、図５では、クリーニング手段でトナーを除去しているが、現像手段でも感光体上のトナーを回収することも可能である。この場合は、スタートシーケンスは図６のように実行される。
【００５６】
図６では、画像形成装置の電源が入る（ＯＮ）。その後、制御手段は、画像形成装置の電源入り後の画像形成開始動作（スタートシーケンス）として、制御フロー、ステップＳ３１〜Ｓ３４を実行する。
【００５７】
Ｓ３１では、有機感光体への圧着部材を現像手段とクリーニング手段を除いて、全て（転写手段、爪分離手段等）解除する。Ｓ３２では、有機感光体を回転させ、有機感光体上の前記トナー画像部のトナーを現像手段とクリーニング手段で除去する。Ｓ３３では、解除した圧着部材を定位置に戻す。Ｓ３４で、画像形成動作を行う制御に入る。
【実施例】
【００５８】
以下、実施例をあげて本発明を詳細に説明する。
【００５９】
以下の実施例では、コニカミノルタビジネステクノロジーズ社製ｂｉｚｈｕｂ  ＰＲＯ  １０５０改造機（円筒状の有機感光体、コロナ放電方式の帯電手段、レーザー露光・反転現像等のＡ４紙１０５枚／分のモノクロ複合機であり、転写紙の搬送に転写搬送ベルト手段を用いる改造をした）を評価が行えるように改造し、露光量を適正化した評価機に搭載し、初期帯電電位を−７５０Ｖに設定し、高温、高湿環境（３０℃、８０％ＲＨ）で印字率５％のＡ４画像を１００００枚印刷出力後に、本願発明のエンドシーケンス及びスタートシーケンス等を実施し、再スタート後の電子写真画像として、印字率５０％のハーフトーン画像印刷し、ハーフトーン画像中の画像流れの発生を目視にて評価した。
【００６０】
尚、実施例に用いた電子写真感光体は、円筒状の導電性支持体上に、中間層、電荷発生層、電荷輸送層及び保護層を積層した有機感光体であり、該保護層が、３次元架橋で硬化された硬化樹脂層の有機感光体を用いた。
【００６１】
実施例１
図４のエンドシーケンスと図５のスタートシーケンスの両方を行った。
【００６２】
再スタート後の電子写真画像には画像流れは全く発生せず、くっきりした電子写真画像が得られた。
【００６３】
実施例２
図４のエンドシーケンスと図６のスタートシーケンスの両方を行った。
【００６４】
再スタート後の電子写真画像には画像流れは全く発生せず、くっきりした電子写真画像が得られた。
【００６５】
比較例１
実施例１のエンドシーケンスを省略し、画像形成終了後、直ちに画像形成装置の電源を停止し、再スタート後は、画像形成装置の電源を入れた後、直ちに電子写真画像の作製動作を開始した。
【００６６】
その結果得られた電子写真画像には帯状の画像流れが発生している。
【００６７】
比較例２
制御部の制御動作を変更し、特許文献１に記載の、画像形成動作開始時の感光体の回転開始時において光除電部を作動させながら帯電極を作動させ、画像形成終了後において光除電部を作動させずに帯電極を作動させながら感光体を１回転以上回転させた後に停止させる制御を行った。
【００６８】
その結果得られた電子写真画像には帯状の画像流れが発生している。
【符号の説明】
【００６９】
Ａ  画像読取り部（画像読取り手段）
Ｂ  画像処理部（画像処理手段）
Ｃ  画像形成部（画像形成手段）
Ｄ  転写紙搬送部（転写紙搬送手段）
２１  感光体
２２  帯電手段（帯電工程）
２２０  電位検出手段２２０
２３  現像手段（現像工程）
４５  転写手段（転写工程）である転写搬送ベルト手段
２６  クリーニング手段（クリーニング工程）
２７  ＰＣＬ（プレチャージランプ）
３０  像露光手段（像露光工程）
５０  制御部
【図１】
2010160395.tif 000003
【図２】
2010160395.tif 000004
【図３】
2010160395.tif 000005
【図４】
2010160395.tif 000006
【図５】
2010160395.tif 000007
【図６】
2010160395.tif 000008